(57)【特許請求の範囲】
【請求項１】
一端が横方向に開口し他端が下方に開口した通路を一つの導入経路とする複数の導入経路を有し、当該各導入経路の前記一端が夫々異なる横方向に向くように形成された導入路と、
該導入路の下方に配設され、前記一端から入り前記他端から落ちる降下煤塵を、前記導入経路ごとに採取する採取容器と、
前記導入路と前記採取容器とを連結する連結部材と、
前記導入経路から前記採取容器までの間に形成された排気口と、
前記導入路の外周面に形成され、前記排気口の上方を覆う庇部材と、を備え、
前記導入路は、
上端が上方に開口し下端が下方に開口した筒部材と、
上端が前記筒部材の上端よりも突出するように当該筒部材の内部に配設され、前記筒部材の内部を周方向に並んだ複数の区画に分割する仕切り部材と、
前記仕切り部材の上端を覆い、平面視で前記筒部材よりも大きな外形となる屋根部材と、を備え、
前記複数の導入経路は、前記屋根部材と、前記筒部材の内周面と、前記仕切り部材とで囲まれた区画で形成されることを特徴とする降下煤塵採取装置。
【請求項２】
前記排気口は、前記導入路と前記採取容器との間に設けられた隙間で構成されることを特徴とする請求項１に記載の降下煤塵採取装置。
【請求項３】
前記連結部材は、前記導入路と前記採取容器とを着脱可能な状態で連結することを特徴とする請求項１又は２に記載の降下煤塵採取装置。
【発明の詳細な説明】
【技術分野】
【０００１】
本発明は、降下煤塵採取装置に関するものである。
【背景技術】
【０００２】
降下煤塵を採取するものとしては、上面開放型のものが多いが、単に上面が開放された構造だと、採取した降下煤塵がどの方向から降下してきたのかを特定することが難しい。そこで、風向計（矢羽根）を設け、風向別に降下煤塵を採取する装置が各種提案されていた（特許文献１〜４参照）。
【先行技術文献】
【特許文献】
【０００３】
【特許文献１】実開昭５６−１０８３８号公報
【特許文献２】実開昭６２−１１９６４７号公報
【特許文献３】実開平５−７３５５６号公報
【特許文献４】実開平４−１３６５５１号公報
【発明の概要】
【発明が解決しようとする課題】
【０００４】
しかしながら、特許文献１、２に記載された従来技術では、風向別に降下煤塵を採取することはできても、上面が開放されている又は斜め上方に向かって開放されているので、雨水が浸入しやすいという問題がある。したがって、採取した降下煤塵のうち、水溶性の成分を分析することが難しい。
一方、特許文献３に記載された従来技術では、水平方向に突出した採取導入管を採用しているので、雨水の浸入を抑制することはできるが、採取導入管に排気経路が設けられていないことで、降下煤塵が導入されにくく、十分な採取量が得られない可能性がある。
【０００５】
これに対して、特許文献４に記載された従来技術では、やはり水平方向に突出した採取導入管を形成しているが、吸引ポンプを用いることで、降下煤塵の十分な採取を図っているが、これではコストが増大してしまう。また、別方向からの降下煤塵も吸引する可能性がある。
本発明の課題は、コストの増大を抑制しつつ、降雨の影響を受けることなく十分な量の降下煤塵を風向別に採取することである。
【課題を解決するための手段】
【０００６】
上記の課題を解決するために、本発明に係る降下煤塵採取装置は、一端が横方向に開口し他端が下方に開口した通路を一つの導入経路とする複数の導入経路を有し、当該各導入経路の前記一端が夫々異なる横方向に向くように形成された導入路と、該導入路の下方に配設され、前記一端から入り前記他端から落ちる降下煤塵を、前記導入経路ごとに採取する採取容器と、前記導入路と前記採取容器とを連結する連結部材と、前記導入経路から前記採取容器までの間に形成された排気口と、前記導入路の外周面に形成され、前記排気口の上方を覆う庇部材と、を備えることを特徴とする。
【０００７】
また、前記導入路は、上端が上方に開口し下端が下方に開口した筒部材と、上端が前記筒部材の上端よりも突出するように当該筒部材の内部に配設され、前記筒部材の内部を周方向に並んだ複数の区画に分割する仕切り部材と、前記仕切り部材の上端を覆い、平面視で前記筒部材よりも大きな外形となる屋根部材と、を備え、前記複数の導入経路は、前記屋根部材と、前記筒部材の内周面と、前記仕切り部材とで囲まれた区画で形成されることを特徴とする。
【０００８】
また、前記排気口は、前記導入路と前記採取容器との間に設けられた隙間で構成されることを特徴とする。
また、前記連結部材は、前記導入路と前記採取容器とを着脱可能な状態で連結することを特徴とする。
【発明の効果】
【０００９】
本発明に係る降下煤塵採取装置は、導入経路の一端が横方向に開口しているので、導入経路への雨水の浸入を抑制することができる。また、導入経路から採取容器までの間に排気口が形成されていることで排気が可能となるので、降下煤塵が導入されやすくなり、十分な採取量を得ることができる。また、庇部材によって排気口の上方が覆われているので、採取容器への雨水の侵入を抑制することができる。また、複数の導入経路を有することで、一箇所で複数の方向からの降下煤塵を風向別に採取することができる。このように、コストの増大を抑制しつつ、降雨の影響を受けることなく十分な量の降下煤塵を風向別に採取することができる。
【００１０】
また、筒部材の内部に仕切り部材を配設し、仕切り部材の上端に屋根部材を設けるだけの構成で、複数の導入経路を形成することができる。したがって、コストの増大を抑制しつつ、降雨の影響を受けることなく十分な量の降下煤塵を風向別に採取することができる。
また、導入路と採取容器との間に設けられた隙間によって排気口を構成するだけの構成なので、簡易な構造で排気を可能にし、降下煤塵の導入をスムーズにすることができる。
また、導入路と採取容器とを着脱可能に構成しているので、採取容器に溜まった降下煤塵を回収しやすい。
【図面の簡単な説明】
【００１１】
【図１】降下煤塵採取装置１の概略構成図である。
【図２】降下煤塵採取装置１の組立図である。
【図３】仕切り部材１２と採取容器３との位置関係を示す図である。
【図４】導入路２と採取容器３との連結構造を示す図である。
【図５】降下煤塵を採取可能な風向を示す図である。
【発明を実施するための形態】
【００１２】
以下、本発明の実施形態を図面に基づいて説明する。
《構成》
図１は、降下煤塵採取装置１の概略構成図である。
図２は、降下煤塵採取装置１の組立図である。
降下煤塵採取装置１は、導入路２と、採取容器３と、庇（ひさし）部材４と、を備える。
【００１３】
導入路２は、一端が横方向に開口し他端が下方に開口した通路を一つの導入経路とする四つの導入経路を有し、各導入経路の一端が異なる横方向（四方）に向くように形成されている。
導入路２は、筒部材１１と、仕切り部材１２と、屋根部材１３と、を備えている。
筒部材１１は、上端が上方に開口し、下端が下方に開口した略円筒で構成され、上端には、フランジ１１ａが形成されている。
【００１４】
仕切り部材１２は、面方向が略９０度間隔で四方に突出し、軸直方向の断面が略×状となる板部材で構成される。そして、上端が筒部材１１の上端よりも突出するように筒部材１１の内部に挿入され、この筒部材１１の内部を周方向に並んだ四つの区画に分割している。各区画は、断面が略扇形となる。
仕切り部材１２は、上部の幅広部１２ａと、下部の幅狭部１２ｂと、で構成され、幅広部１２ａと幅狭部１２ｂとの段差部１２ｃが筒部材１１のフランジ１１ａに当接する。幅狭部１２ｂは、筒部材１１の内周面に摺接し、筒部材１１と同等の長さに形成される。
【００１５】
屋根部材１３は、仕切り部材１２の上端を覆い、平面視で筒部材１１よりも大きな外形となるように形成される。なお、屋根部材１３は、仕切り部材１２の幅広部１２ａの横方向が開放されるように、全周に亘って略水平方向に突出している。
上記の屋根部材１３の下面と、筒部材１１の内周面と、仕切り部材１２とで囲まれた一つの区画が、一つの導入経路となる。すなわち、屋根部材１３の下面、及び仕切り部材１２によって一端が横方向に開口した構造となり、筒部材１１の内周面及び仕切り部材１２によって他端が下方に開口した構造となる。
【００１６】
採取容器３は、導入路２と同等の径を有する略円筒状の容器で構成され、仕切り部材１２に対応する仕切り部材１４が設けられている。すなわち、仕切り部材１４は、面方向が略９０度間隔で四方に突出し、軸方向の断面が略×状となる板部材で構成される。そして、上端が採取容器３の上端よりも突出するように採取容器３の内部に形成され、この採取容器３の内部を周方向に並んだ四つの区画に分割する。各区画は、断面が略扇形となる。
この採取容器３は、導入路２の下方に配設されることで、導入路２の一端から入り他端から落ちる降下煤塵を、導入経路ごとに採取する。
【００１７】
導入路２と採取容器３との間には、排気用の隙間１５を設ける。
庇部材４は、導入路２の下側の外周面に、全周に亘って、斜め下方向に向けて突設されており、隙間１５の上方（やや正面も含む）を覆うように、平面視で採取容器３よりも大きな外形となるように、径方向の長さや角度を調整する。
図３は、仕切り部材１２と採取容器３との位置関係を示す図である。
仕切り部材１２の下端は、採取容器３に設けた仕切り部材１４の上端と当接し、夫々の周方向の位置が一致するように配置される。
【００１８】
図４は、導入路２と採取容器３との連結構造を示す図である。
導入路２の下部と採取容器３の上部とは、針金等の連結部材１６で着脱可能な状態で連結される。例えば、導入路２の下部と採取容器３の上部とに貫通孔を設け、各貫通孔に連結部材１６を挿通し、簡易的に留めることで、導入路２に採取容器３を固定する。
なお、導入路２で生じるエネルギー損失（圧力降下）を考慮し、導入路２における一つの導入経路の断面積を大きくするほど、また導入路２の長さを短くするほど、エネルギー損失が小さくなるので好ましい。
【００１９】
以上より、導入路２が「導入路」に対応し、採取容器３が「採取容器」に対応し、連結部材１６が「連結部材」に対応し、隙間１５が「排気口」に対応し、庇部材４が「庇部材」に対応する。また、筒部材１１が「筒部材」に対応し、仕切り部材１２が「仕切り部材」に対応し、屋根部材１３が「屋根部材」に対応し、隙間１５が「隙間」に対応している。
【００２０】
《作用》
図５は、降下煤塵を採取可能な風向を示す図である。
降下煤塵採取装置１を、所定の位置に、所定の期間だけ設置する。これにより、風向別に降下して来る煤塵が、導入路２から入り、導入経路ごとに採取容器３へと溜まるようになる。
まず、導入経路の一端が横方向に開口しており、且つ屋根部材１３が横方向に延びているので、導入経路への雨水の浸入を抑制することができる。これにより、採取した降下煤塵のうち、水溶性の成分をも分析することができる。
また、導入路２の下端と採取容器３の上端との間に隙間１５が形成されていることで排気が可能となるので、降下煤塵が導入されやすくなり、十分な採取量を得ることができる。
【００２１】
また、採取容器３の上方に庇部材４が設けられているので、採取容器３への雨水の浸入を抑制することができる。
また、四つの導入経路を形成し、夫々の一端を四方に向けているので、一箇所で複数の方向からの降下煤塵を風向別に採取することができる。
このように、コストの増大を抑制しつつ、降雨の影響を受けることなく十分な量の降下煤塵を方向別に採取することができる。
【００２２】
また、筒部材１１の内部に仕切り部材１２を配設し、仕切り部材１２の上端に屋根部材１３を設けるだけの構成で、複数の導入経路を形成することができる。したがって、コストの増大を抑制しつつ、降雨の影響を受けることなく十分な量の降下煤塵を風向別に採取することができる。
また、導入路２と採取容器３との間に設けられた隙間１５によって排気口を構成するので、簡易な構造で排気を可能にし、降下煤塵の導入をスムーズにすることができる。
また、導入路２と採取容器３とを連結部材１６によって着脱可能な状態で簡易的に連結しているので、連結部材１６を外すだけで、採取容器３だけを容易に回収することができる。
【００２３】
《変形例》
なお、本実施形態では、四つの導入経路を形成し、夫々の一端を四方に向ける構成について説明したが、これに限定されるものではなく、少なくとも二つ以上の導入経路を形成し、夫々の一端を異なる横方向に向けて配置してもよい。
また、本実施形態では、断面が円形の導入路２を用いているが、これに限定されるものではなく、断面が多角形の導入路であってもよい。
【００２４】
また、本実施形態では、庇部材４を固定式にしているが、これに限定されるものではなく、例えば導入経路ごとに分割し、これらを導入路２に対して枢動可能に軸支して、導入経路ごとに枢動角度を調節可能に構成してもよい。
すなわち、本発明の主旨を逸脱しない範囲で、各部材の構成や形状は、任意に変更することができる。
【符号の説明】
【００２５】
１     降下煤塵採取装置
２     導入路
３     採取容器
４     庇部材
１１   筒部材
１１ａ フランジ
１２   仕切り部材
１２ａ 幅広部
１２ｂ 幅狭部
１２ｃ 段差部
１３   屋根部材
１４   仕切り部材
１５   隙間
１６   連結部材
【図１】
0005494431.tif 000002
【図２】
0005494431.tif 000003
【図３】
0005494431.tif 000004
【図４】
0005494431.tif 000005
【図５】
0005494431.tif 000006